(57)【特許請求の範囲】
【請求項１】
通話中にのみ報知される第１の報知音と通話中以外にも報知される第２の報知音を報知する報知音出力手段と、前記第１の報知音の音量を通話中に使用するのに支障がない範囲の音量で設定する音量設定手段と、
通話中の前記第１の報知音の出力音量を前記音量設定手段で設定された音量で出力させ、通話中の前記第２の報知音の出力音量を所定以下の音量で出力させる制御手段を備えたことを特徴とする携帯電話装置。
【請求項２】
受話音を発する受話部を有する携帯電話装置において、受話部に配設され通話に関係する第１の報知音を出力する第１の報知音出力手段と、受話部以外に配設され報知音を出力する第２の報知音出力手段と、前記第１の報知音の音量を通話中に使用するのに支障がない範囲の音量で設定する音量設定手段と、
通話中の前記第１の報知音出力手段の出力音量を前記音量設定手段で設定された音量で出力させ、通話中の前記第２の報知音出力手段の出力音量を所定以下の音量で出力させる制御手段を備えたことを特徴とする携帯電話装置。
【請求項３】
受話部を耳に近づけて通話する通常の通話モ−ドとハンズフリーモードを有する携帯電話装置に於いて、着信の報知音を出力する報知音出力手段と、前記報知音の音量を設定する音量設定手段と、ハンズフリーモードでの通話中は前記報知音出力手段の出力音量を前記音量設定手段で設定された音量で出力させ、通常の通話モ−ドでの通話中は前記報知音出力手段の出力音量を所定以下の音量で出力させる制御手段を備えたことを特徴とする携帯電話装置。
【発明の詳細な説明】
【０００１】
【発明の属する技術分野】
本発明は、通話中でも報知音を出力する携帯電話装置に関する。
【０００２】
【従来の技術】
通話中にページャの着信を音で報知させるときは、使用者に不快感を与えないように所定の小さな音量にすることが考えられた（特開平１０−１０８２５６法公報参照）。
【０００３】
【発明が解決しようとする課題】
しかしながら、通話中の全ての報知音の音量を、設定を無視して小さくすると、
設定のまま支障がないものも使用者の設定を無視してしまうという問題がある。
【０００４】
例えば、通話中に音で報知するものはページャの着信のみではなく、携帯電話装置が通話中に圏外になって通話が遮断されたり、通話時間の経過を知らせたりするような、主として通話中に報知させるものもある。このような音量の設定は、通話中でも不快感を与えない範囲で使用者により設定される。
【０００５】
また、受話音と報知音を兼用する受話部のスピーカやイヤホン（直にあるいは近接した耳に向けて音を発するもの）の音量は通話中でも不快感を与えない範囲で使用者により設定される。
また、携帯電話装置が車両等の所定の位置に載置されていたり、ハンズフリーモードのときは、報知音は耳から離れた位置より発せられるために、通話中でも使用者に不快感を与える程大きな音量の報知音とはならない。
【０００６】
【課題を解決するための手段】
本発明の電話装置はかかる点に鑑みてなされたもので、通話中にのみ報知される第１の報知音と通話中以外にも報知される第２の報知音を報知する報知音出力手段と、前記第１の報知音の音量を通話中に使用するのに支障がない範囲の音量で設定する音量設定手段と、通話中の前記第１の報知音の出力音量を前記音量設定手段で設定された音量で出力させ、通話中の前記第２の報知音の出力音量を所定以下の音量で出力させる制御手段を備えたことを特徴とする。
【０００７】
また、受話音を発する受話部を有する携帯電話装置において、受話部に配設され通話に関係する第１の報知音を出力する第１の報知音出力手段と、受話部以外に配設され報知音を出力する第２の報知音出力手段と、前記第１の報知音の音量を通話中に使用するのに支障がない範囲の音量で設定する音量設定手段と、通話中の前記第１の報知音出力手段の出力音量を前記音量設定手段で設定された音量で出力させ、通話中の前記第２の報知音出力手段の出力音量を所定以下の音量で出力させる制御手段を備えたことを特徴とする。
【０００９】
また、受話部を耳に近づけて通話する通常の通話モ−ドとハンズフリーモードを有する携帯電話装置に於いて、着信の報知音を出力する報知音出力手段と、前記報知音の音量を設定する音量設定手段と、ハンズフリーモードでの通話中は前記報知音出力手段の出力音量を前記音量設定手段で設定された音量で出力させ、通常の通話モ−ドでの通話中は前記報知音出力手段の出力音量を所定以下の音量で出力させる制御手段を備えたことを特徴とする。
【００１０】
【発明の実施の形態】
本発明の第１の実施例を図面に基づき説明する。図１は実施例の要部の構成を示すブロック図である。本実施例の携帯電話装置は、同じ周波数のキャリアを同一セルで複数利用するＣＤＭＡ方式の携帯電話機であり、車両用として使用することもできる。
【００１１】
（１）は通信部であり、後述のベースバンド部（３）からの信号をアンテナ（２）を介して基地局へ発信したり、アンテナ（２）を介して基地局からの電波を受信したりする。
【００１２】
（３）はベースバンド部であり、ＣＤＭＡ処理回路（３１）と音声コーデック（３２）を有する。ＣＤＭＡ処理回路（３１）は符号分割多元接続、スクランブル、誤り制御、タイミング検出を行う。音声コーデック（３２）は音声を圧縮（符号化）・伸張（復号化）したり、アナログとディジタルの変換を行ったり、内部の増幅回路（図示せず）により受話音量やマイクロホンの感度を変更する。
【００１３】
（４）はハンズフリーでない通常の通話用の受話部（Ｊ）に配設されるスピーカ（耳にあてて使用されるスピーカ）であり、増幅回路（５）で増幅されたベースバンド部（３）の電気信号を音声に変換する。また、スピーカ（４）は受話音に重畳された報知音（図３のアラート１，アラート２）も出力する。（６）は通話に使用されるマイクロホンであり、音声を電気信号に変換する。（７）は増幅回路であり、マイクロホン（６）の出力を増幅してベースバンド部（３）に出力する。（８）は通話やメッセージの着信報知音（図３のアラート３，アラート４）を出力するスピーカである。また、スピーカ（８）は通話を周囲の人に聞かせるためにも使用され、耳用のスピーカ（４）が配設される受話部（Ｊ）の背面に配設される。このスピーカ（８）は増幅回路（９）で増幅されたベースバンド部（３）の電気信号を音声に変換する。（１０）は接続部であり、カーキット（３０）の外部スピーカ（３０１）と外部マイクロホン（３０２）がケーブル（図２の３０３）を介して接続される。この外部スピーカ（３０１）と外部マイクロホン（３０２）はハンズフリー通話（拡声通話）として使用される。
【００１４】
（１１）は切替回路であり、３つの夫々の増幅回路（５）（７）（９）及び接続部（１０）と、ベースバンド部（３）との接続を後述の制御回路（１２）の制御によりＯＮ／ＯＦＦする。尚、これら３つの増幅回路（５）（７）（９）はゲインを固定しており、受話音量やマイクロホンの感度を変更することはできない。受話音量やマイクロホンの感度の変更は制御回路（１２）の制御によりベースバンド部（３）の音声コーデック（３２）が行う。
【００１５】
（１２）はマイクロプロセッサからなる制御回路であり、動作のプログラムを記憶したＲＯＭ（１３）に基づき各部を制御する。（１４）はＲＡＭであり、制御回路（１２）の動作に必要な情報、例えば設定された音量を記憶する。
【００１６】
（１５）は液晶の表示部であり、電話番号や音量設定画面等を表示する。（１６）はバイブレータであり、制御回路（１２）の制御に基づき着信時に振動を発生させる。（１７）はイグニッションＯＮ／ＯＦＦ検出手段であり、車両のイグニッションスイッチのＯＮ／ＯＦＦを検出して制御回路（１２）に出力する。
【００１７】
（１８）はリードスイッチやホール素子等の磁気検出部（１８１）を有する載置検出手段である。図２に示す如く、車両には磁石（４０１）を有した載置部（４０）が固定されており、これに携帯電話装置が載置されると、磁石（４０１）に近接した磁気検出部（１８１）が磁気を検出し、載置されたことを示す信号を載置検出手段（１８）が制御回路（１２）に出力する。
【００１８】
（１９）は入力手段であり、電話番号の入力等を行うテンキー（１９１）と、通話の開始を操作する通話キー（１９２）と、通話の終了を操作する終話キー（１９３）と、装置の電源のＯＮ／ＯＦＦを操作する電源キー（１９４）と、種種の音量を設定する設定キー（１９５）と、背面用のスピーカ（８）からの出力ＯＮ／ＯＦＦするＭＯＮキー（１９６）とを有する。
【００１９】
（２０）は充電式電池からなるＤＣ３．６Ｖの内部電源である。（２１）は外部電源用の接続部であり、ケーブル（図２の３０３）を介して外部電源（５０）（車両のシガレット挿入口）に接続される。外部電源（５０）はＤＣ１２Ｖであり、車両の種類により、イグニッションスイッチがＯＦＦのときＤＣ１２Ｖ電源を供給するものと供給しないものがある。接続部（２１）は１２Ｖの外部電源（５０）を内部電源（２０）の電圧より僅かに高い電圧ＤＣ４．１Ｖに変換し、内部電源と並列に電源を供給するように接続される。（２２）はスイッチであり、並列に接続された内部電源（２０）と外部電源（５０）の装置内への電力供給を制御回路（１２）の制御により断続する。尚、外部電源（５０）が供給されているときは外部電源（５０）により内部電源（２０）が充電される。
【００２０】
次に、図３に示すアラート（報知音）の種類について説明する。アラート１は、携帯電話装置が局の圏外となって通話が遮断したり、不慮の原因により通話が遮断されたことを所定のビープ音で報知するものである。アラート１の音量は無音／小／大の３種類であり、耳用のスピーカ（４）（耳スピーカ）より通話中のみに発せられる。
【００２１】
アラート２は、通話時間が１分経過する毎に、その１０秒前になったことを所定のビープ音で報知するものである。アラート２の音量は無音／小／大の３種類であり、耳用のスピーカ（４）より発せられる。
【００２２】
アラート３は、通話の着呼があることを設定されたビープ音あるいは設定されたメロディで報知するものである。アラート３の音量は無音／小／中／大の４種類であり、背面用のスピーカ（８）（背スピーカ）より発せられる。
【００２３】
アラート４は、文字や音声のメッセージの着信があったことを設定されたビープ音あるいは設定されたメロディで報知するものである。アラート４の音量は無音／小／中／大の４種類であり、背面用のスピーカ（８）より発せられる。
【００２４】
アラート１とアラート２は、通話中のみに発せられるアラートとして分類Ａ１に、アラート３とアラート４は通話中のみに発せられるアラートではないとして分類Ａ２に分類される（分類Ａ）。
【００２５】
また、別の分類方法（分類Ｂ）では、アラート１とアラート２は、受話部（Ｊ）に配設された耳用のスピーカ（４）より直にあるいは近接した耳へ出力されるものとして分類Ｂ１に、アラート３とアラート４は受話部（Ｊ）の背面に配設されるスピーカ（８）より近接しない耳に出力されるものとして分類Ｂ２に分類される。
【００２６】
次に、本発明の主要な動作を説明する。図４は制御回路（１２）の動作を示すフローチャートである。制御回路（１２）は、アラート１〜４を出力させるとき（Ｓ１）、通話中でなければ（Ｓ２のＮ）、携帯電話装置は耳から離れた位置にあるものとして、設定どおりの音量でアラートを出力させる（Ｓ３）。また、載置検出手段（１８）により携帯電話装置が載置部（４０）に載置されていることを検出すると（Ｓ４のＹ）、携帯電話装置は耳から離れた位置にあるものとして、設定どおりの音量でアラートを出力させる（Ｓ３）。
【００２７】
これらにより、たとえ音量が“大”に設定されていたとしても、携帯電話装置は耳から離れているために、使用者に不快感を与えることはない。よって、使用者が設定したとおりの音量で出力させる。
【００２８】
また、出力させようとするアラートが通話中のみに発せられるアラート（分類Ａ１に属するもの）であれば（Ｓ５のＹ）、設定どおりの音量でアラートを出力させる（Ｓ３）。
【００２９】
これにより、たとえ音量が“大”に設定されていたとしても、その音量は通話中に使用する支障がない範囲の音量であるために、使用者に不快感を与えることはない。よって、使用者が設定したとおりの音を出力させる。
【００３０】
また、出力させようとするアラートが図３の分類Ａ１に属するものでなく（Ｓ５のＮ）、出力させようとするアラートの設定されている音量が“中”でも“大”でもないときは（Ｓ６のＮ）、即ち、“無音”または“小”に設定されているときは、設定どおりの音量でアラートを出力させる（Ｓ３）。
【００３１】
そして、通話中であり（Ｓ２のＹ）、且つ、携帯電話装置が載置部（４０）に載置されておらず（Ｓ４のＮ）、且つ、出力させようとするアラートが分類Ａ１に属するものでなく（Ｓ５のＮ）、且つ、設定されている音量が“中”または“大”であるときは（Ｓ６のＹ）、設定されている音量に係わらず、音量を“小”で出力させる（Ｓ７）。
【００３２】
このように、使用者に不快感を与えないと思われるときを除いて、通話中の音量を所定以下にする。これにより、使用者の設定を不必要に無視することがない。
【００３３】
次に、第２の実施例を説明する。第２の実施例のブロック図は第１の実施例の図１と同じである。図５は第２の実施例の制御回路（１２）の動作を示すフローチャートであり、第１の実施例のフローチャート（図４）のステップＳ５をステップＳ１１に変更したものである。第１の実施例と異なる動作のみ説明する。
【００３４】
アラートを出力するとき（Ｓ１のＹ）、通話中であり（Ｓ２のＹ）、携帯電話装置が載置部（４０）に載置されていないと（Ｓ４のＮ）、制御回路（１２）は、アラートを発せさせるスピーカが受話部（Ｊ）に配設されるもの（スピーカ（４））（図３の分類Ｂ１）であるか否かを調べる（Ｓ１１）。即ち、アラートを発せさせるスピーカが、直にあるいは近接した耳にアラートを発する位置に配設されるか、近接しない耳にアラートを発する位置に配設されるかを調べる。
【００３５】
アラートを発せさせるスピーカが受話部（Ｊ）に配設されるものであると（Ｓ１１のＹ）、たとえ音量が“大”に設定されていたとしても、その音量は通話中に使用する支障がない範囲の音量であるとして、設定どおりの音量でアラートを出力させる（Ｓ３）。これにより、たとえ音量が“大”に設定されていたとしても、使用者に不快感を与えることはなく、使用者が設定したとおりの音を出力させる。
【００３６】
アラートを発せさせるスピーカが受話部（Ｊ）に配設されるものでないと（Ｓ１１のＮ）、ステップＳ６に進む。第１の実施例と同様、ステップＳ６で、設定されている音量が“中”または“大”であるときは、設定されている音量に係わらず、音量を“小”で出力させる（Ｓ７）。
【００３７】
このように、第１の実施例は報知音が通話中にのみ発せられるものか否か（分類Ａ）によって、音量を所定以下にするか否かを判定したが、第２の実施例の如く、報知音を発するスピーカが受話部（Ｊ）（直にあるいは近接した耳にアラートを発する位置）に配設されるか否か（分類Ｂ）によって判定してもよい。
【００３８】
尚、第２の実施例のスピーカ（４）は耳に近接した位置に配設されるが、本発明はこのようなスピーカに限定するものではなく、直に耳に挿入されるイヤホンであってもよい。
【００３９】
次に、第３の実施例を説明する。第３の実施例のブロック図は第１の実施例の図１と同じである。図６は第３の実施例の制御回路（１２）の動作を示すフローチャートであり、第１の実施例のフローチャート（図４）のステップＳ４をステップＳ２１に変更したものである。第１の実施例と異なる動作のみ説明する。
【００４０】
まず、ハンズフリー通話への切替えについて説明する。携帯電話装置にケーブルが接続された状態でイグニッションスイッチがＯＮされ、且つ、載置部（４０）に載置されると、制御回路（１２）はイグニッションスイッチ検出手段（１７）と載置検出手段（１８）によりカーキットモードにする。カーキットモードでは制御回路（１２）は、切替回路（１１）を制御して、スピーカ（４）とマイクロホン（６）を使用する通常の通話から、カーキット（３０）の外部スピーカ（３０１）と外部マイクロホン（３０２）を使用するハンズフリー通話に切り替える。
【００４１】
さて、図６に於いて、アラートを出力するとき（Ｓ１のＹ）、通話中であると（Ｓ２のＮ）、第３の実施例の制御回路（１２）は、ハンズフリー通話か否かをイグニッションスイッチ検出手段（１７）と載置検出手段（１８）により調べる（Ｓ２１）。
【００４２】
ステップＳ２１でハンズフリー通話であれば、制御回路（１２）は、アラートは耳から離れた位置から発せられるものとして、設定どおりの音量でアラートを出力させる（Ｓ３）。ステップＳ２１でハンズフリー通話でなければ、ステップＳ５に進み、第１の実施例のステップＳ５と同じ動作を行う。
【００４３】
このようにして、ハンズフリー通話では、使用者の設定を無視して小さな音量にされてしまうという問題はない。
【００４４】
【発明の効果】
以上の如く、本発明は、通話中の全ての報知音の音量を、設定を無視して小さくするのではなく、設定のままでも支障がなければ、設定どおりの音量で報知音を出力させる。設定のままでも支障がないか否かは、▲１▼発せられる報知音が通話中にのみに発せられるものか否か、▲２▼報知音出力手段が、受話部（直にあるいは近接した耳に報知音を出力する位置）に配設されるものか否か、▲３▼携帯電話装置が所定の位置に載置されているか否か、▲４▼通常の通話モードかハンズフリーモード（拡声通話モード）の判定によって行われる。これにより、支障がないものも使用者の設定を無視して小さな音量にしてしまうということを防止することができる。
【図面の簡単な説明】
【図１】本発明の実施例の主要な構成を示すブロック図である。
【図２】実施例の携帯電話装置が車両に載置された状態を示す図である。
【図３】実施例のアラートの種類を示すフローチャートである。
【図４】第１の実施例の主要な動作を示すフローチャートである。
【図５】第２の実施例の主要な動作を示すフローチャートである。
【図６】第３の実施例の主要な動作を示すフローチャートである。
【符号の説明】
４  スピーカ（耳用）
６  マイクロホン
８  スピーカ（背面用、周囲用）
１１  切替回路
１２  制御回路
１７  イグニッションＯＮ／ＯＦＦ検出手段
１８  載置検出手段
３０  カーキット
４０  載置部
１９５  設定キー
３０１  外部スピーカ
３０２  外部マイクロホン
【図１】
0003573998.tif 000002
【図２】
0003573998.tif 000003
【図３】
0003573998.tif 000004
【図４】
0003573998.tif 000005
【図５】
0003573998.tif 000006
【図６】
0003573998.tif 000007